(57)【要約】【課題】  製造が簡単、快速で、製造コストが低く、多方向の展示効果を具え、消費者をの注意を引くことができる商品包装箱の提供。【解決手段】  少なくとも一つの第１平面と少なくとも一つの第２平面を具え、第１平面と第２平面に第１貫通孔と第２貫通孔が設けられ、第１貫通孔と第２貫通孔の隣接部分に連接部品が設けられ、連接部品の左右端にそれぞれ第１貫通孔端縁と第２貫通孔端縁が接続され、第１平面と第２平面に透明被覆層が結合されてそれらを被覆し、商品が第１貫通孔、第２貫通孔を通して対外表示される。【選択図】        図５
0003111019.tif 000002
【実用新案登録請求の範囲】
【請求項１】
商品を収容する箱体を具え、該箱体が、
第１貫通孔を具えた少なくとも一つの第１平面と、
第２貫通孔を具えた少なくとも一つの第２平面と、
第１貫通孔と第２貫通孔の接続部分に設けられた連接部品と、
該第１平面と第２平面を被覆するように結合された透明な被覆層と、
を具えたことを特徴とする、商品包装箱。
【請求項２】
請求項１記載の商品包装箱において、連接部品が横部と縦部を具え、該横部が第１平面に位置し、該縦部が第２平面に位置し、該横部の左右端辺が第１貫通孔の端縁に接続され、該縦部の左右端辺が第２貫通孔の端縁に接続されたことを特徴とする、商品包装箱。
【請求項３】
請求項１記載の商品包装箱において、連接部品が第１平面に設置された横部を具え、該横部の左右端辺が第１貫通孔の端縁に接続され、該横部の前後端辺が第２貫通孔の端縁及び第１貫通孔の端縁に位置することを特徴とする、商品包装箱。
【請求項４】
請求項１記載の商品包装箱において、連接部品が第２平面に設置された縦部を具え、該縦部の左右端辺が第２貫通孔の端縁に接続され、該縦部の前後端辺が第２貫通孔の端縁及び第１貫通孔の端縁に位置することを特徴とする、商品包装箱。
【請求項５】
商品を収容する箱体を具え、該箱体が、
第１貫通孔を具えた少なくとも一つの第１平面と、
第２貫通孔を具えた少なくとも一つの第２平面と、
第１貫通孔と第２貫通孔の接続部分に設けられた連接部品と、
第１貫通孔に設置されて二端が第１平面と該連接部品に接続された強化リブと、
該第１平面と第２平面を被覆するように結合された透明な被覆層と、
を具えたことを特徴とする、商品包装箱。
【請求項６】
請求項５記載の商品包装箱において、連接部品が横部と縦部を具え、該横部が第１平面に位置し、該縦部が第２平面に位置し、該横部の左右端辺が第１貫通孔の端縁に接続され、該縦部の左右端辺が第２貫通孔の端縁に接続されたことを特徴とする、商品包装箱。
【請求項７】
請求項５記載の商品包装箱において、連接部品が第１平面に設置された横部を具え、該横部の左右端辺が第１貫通孔の端縁に接続され、該横部の前後端辺が第２貫通孔の端縁及び第１貫通孔の端縁に位置することを特徴とする、商品包装箱。
【請求項８】
請求項５記載の商品包装箱において、連接部品が第２平面に設置された縦部を具え、該縦部の左右端辺が第２貫通孔の端縁に接続され、該縦部の前後端辺が第２貫通孔の端縁及び第１貫通孔の端縁に位置することを特徴とする、商品包装箱。
【請求項９】
商品を収容する箱体を具え、該箱体が、
第１貫通孔を具えた少なくとも一つの第１平面と、
第２貫通孔を具えた少なくとも一つの第２平面と、
第１貫通孔と第２貫通孔の接続部分に設けられた連接部品と、
第２貫通孔に設置されて二端が第２平面と該連接部品に接続された強化リブと、
該第１平面と第２平面を被覆するように結合された透明な被覆層と、
を具えたことを特徴とする、商品包装箱。
【請求項１０】
請求項９記載の商品包装箱において、連接部品が横部と縦部を具え、該横部が第１平面に位置し、該縦部が第２平面に位置し、該横部の左右端辺が第１貫通孔の端縁に接続され、該縦部の左右端辺が第２貫通孔の端縁に接続されたことを特徴とする、商品包装箱。
【請求項１１】
請求項９記載の商品包装箱において、連接部品が第１平面に設置された横部を具え、該横部の左右端辺が第１貫通孔の端縁に接続され、該横部の前後端辺が第２貫通孔の端縁及び第１貫通孔の端縁に位置することを特徴とする、商品包装箱。
【請求項１２】
請求項９記載の商品包装箱において、連接部品が第２平面に設置された縦部を具え、該縦部の左右端辺が第２貫通孔の端縁に接続され、該縦部の前後端辺が第２貫通孔の端縁及び第１貫通孔の端縁に位置することを特徴とする、商品包装箱。
【考案の詳細な説明】
【技術分野】
【０００１】
本考案は商品包装箱に係り、特に、多方向の展示効果を具え、該包装容器の製造は簡易で、低コストで生産できる技術に関する。
【背景技術】
【０００２】
周知の商品包装箱は、ほぼ三種類の形式に分けられる。第１種の形式は、図１に示されるように、箱体１００が設けられて、箱体１００の適所に開溝１０１が開設され、箱体１００内部に商品Ｓが置かれ、開溝１０１により箱体１００内部の商品Ｓを観ることができる。しかし、この開溝１０１は遮蔽されておらず、箱体１００内の商品Ｓに灰塵が付着しやすく、商品Ｓの表面が汚れやすく、消費者の購入意欲を削ぐ。第２種の形式は、図２に示されるように、底座体２００が設けられ、底座２００の上に販売する商品Ｓが置かれ、底座２００の上が灰塵の商品Ｓへの付着を防止する透明カバー２０１で被覆されている。しかし、透明カバー２０１は型を用いて成形され、コストが高く、且つ製造過程が面倒であり、更に透明カバー２０１と底座２００は回収再利用不能な材料で形成され、消費者が商品Ｓを購入した後、透明カバー２０１と底座２００は回収再利用不能で資源の浪費を形成し、並びに環境汚染を形成する。第３種の形式は、箱体３００が設けられ、図３に示されるように、箱体３００の側面に貫通孔３０１が開設され、貫通孔３０１の内側が透明樹脂膜３０２により被覆され（図４）、箱体３００内に商品Ｓが置かれ、商品Ｓを透明樹脂膜３０２を通して貫通孔３０１部分で観ることができる。ただし、この透明樹脂膜３０２は予め所定のサイズに裁断されてから箱体３００内側に接合して貫通孔３０１を封じさせなければならず、接合過程が煩雑であり、時間と手間がかかり、更に商品Ｓは貫通孔３０１を設けた一面からしか対外展示できず、展示効果が不良で、消費者の注意を引くことができない。
【考案の開示】
【考案が解決しようとする課題】
【０００３】
本考案の主要な目的は、一種の商品包装箱を提供することにあり、それは、箱体形状とされて内部に商品を収容し、箱体の第１平面と第２平面にそれぞれ第１貫通孔と第２貫通孔が開設され、第１貫通孔と第２貫通孔の接続部分に連接部品が設けられ、第１平面と第２平面に透明な被覆層が結合されて第１貫通孔と第２貫通孔を被覆し、第１貫通孔と第２貫通孔により被覆層を通して商品の多方面の対外展示を行なえ、商品展示の効果が高く、並びに灰塵の商品への付着を防止し、全体の包装箱の製造が極めて簡単で快速であり、製造コストが低く、箱体と透明被覆層を回収再利用でき、環境保護概念に符合し且つ資源を節約できるものとする。
【０００４】
本考案のもう一つの目的は、一種の商品包装箱を提供することにあり、それは、前述の第１貫通孔と第２貫通孔内に強化リブが設けられて、強化リブの二端が第１平面と連接部品及び第２平面と連接部品に接続されて、連接部品を支持し、これにより全体の包装箱の強度が高められたものとする。
【課題を解決するための手段】
【０００５】
請求項１の考案は、商品を収容する箱体を具え、該箱体が、
第１貫通孔を具えた少なくとも一つの第１平面と、
第２貫通孔を具えた少なくとも一つの第２平面と、
第１貫通孔と第２貫通孔の接続部分に設けられた連接部品と、
該第１平面と第２平面を被覆するように結合された透明な被覆層と、
を具えたことを特徴とする、商品包装箱としている。
請求項２の考案は、請求項１記載の商品包装箱において、連接部品が横部と縦部を具え、該横部が第１平面に位置し、該縦部が第２平面に位置し、該横部の左右端辺が第１貫通孔の端縁に接続され、該縦部の左右端辺が第２貫通孔の端縁に接続されたことを特徴とする、商品包装箱としている。
請求項３の考案は、請求項１記載の商品包装箱において、連接部品が第１平面に設置された横部を具え、該横部の左右端辺が第１貫通孔の端縁に接続され、該横部の前後端辺が第２貫通孔の端縁及び第１貫通孔の端縁に位置することを特徴とする、商品包装箱としている。
請求項４の考案は、請求項１記載の商品包装箱において、連接部品が第２平面に設置された縦部を具え、該縦部の左右端辺が第２貫通孔の端縁に接続され、該縦部の前後端辺が第２貫通孔の端縁及び第１貫通孔の端縁に位置することを特徴とする、商品包装箱としている。
請求項５の考案は、商品を収容する箱体を具え、該箱体が、
第１貫通孔を具えた少なくとも一つの第１平面と、
第２貫通孔を具えた少なくとも一つの第２平面と、
第１貫通孔と第２貫通孔の接続部分に設けられた連接部品と、
第１貫通孔に設置されて二端が第１平面と該連接部品に接続された強化リブと、
該第１平面と第２平面を被覆するように結合された透明な被覆層と、
を具えたことを特徴とする、商品包装箱としている。
請求項６の考案は、請求項５記載の商品包装箱において、連接部品が横部と縦部を具え、該横部が第１平面に位置し、該縦部が第２平面に位置し、該横部の左右端辺が第１貫通孔の端縁に接続され、該縦部の左右端辺が第２貫通孔の端縁に接続されたことを特徴とする、商品包装箱としている。
請求項７の考案は、請求項５記載の商品包装箱において、連接部品が第１平面に設置された横部を具え、該横部の左右端辺が第１貫通孔の端縁に接続され、該横部の前後端辺が第２貫通孔の端縁及び第１貫通孔の端縁に位置することを特徴とする、商品包装箱としている。
請求項８の考案は、請求項５記載の商品包装箱において、連接部品が第２平面に設置された縦部を具え、該縦部の左右端辺が第２貫通孔の端縁に接続され、該縦部の前後端辺が第２貫通孔の端縁及び第１貫通孔の端縁に位置することを特徴とする、商品包装箱としている。
請求項９の考案は、商品を収容する箱体を具え、該箱体が、
第１貫通孔を具えた少なくとも一つの第１平面と、
第２貫通孔を具えた少なくとも一つの第２平面と、
第１貫通孔と第２貫通孔の接続部分に設けられた連接部品と、
第２貫通孔に設置されて二端が第２平面と該連接部品に接続された強化リブと、
該第１平面と第２平面を被覆するように結合された透明な被覆層と、
を具えたことを特徴とする、商品包装箱としている。
請求項１０の考案は、請求項９記載の商品包装箱において、連接部品が横部と縦部を具え、該横部が第１平面に位置し、該縦部が第２平面に位置し、該横部の左右端辺が第１貫通孔の端縁に接続され、該縦部の左右端辺が第２貫通孔の端縁に接続されたことを特徴とする、商品包装箱としている。
請求項１１の考案は、請求項９記載の商品包装箱において、連接部品が第１平面に設置された横部を具え、該横部の左右端辺が第１貫通孔の端縁に接続され、該横部の前後端辺が第２貫通孔の端縁及び第１貫通孔の端縁に位置することを特徴とする、商品包装箱としている。
請求項１２の考案は、請求項９記載の商品包装箱において、連接部品が第２平面に設置された縦部を具え、該縦部の左右端辺が第２貫通孔の端縁に接続され、該縦部の前後端辺が第２貫通孔の端縁及び第１貫通孔の端縁に位置することを特徴とする、商品包装箱としている。
【考案の効果】
【０００６】
本考案の商品包装箱は、箱体形状とされて内部に商品を収容し、箱体の第１平面と第２平面にそれぞれ第１貫通孔と第２貫通孔が開設され、第１貫通孔と第２貫通孔の接続部分に連接部品が設けられ、第１平面と第２平面に透明な被覆層が結合されて第１貫通孔と第２貫通孔を被覆し、第１貫通孔と第２貫通孔により被覆層を通して商品の多方面の対外展示を行なえ、商品展示の効果が高く、並びに灰塵の商品への付着を防止し、全体の包装箱の製造が極めて簡単で快速であり、製造コストが低く、箱体と透明被覆層を回収再利用でき、環境保護概念に符合し且つ資源を節約できる。
【０００７】
本考案の商品包装箱は、前述の第１貫通孔と第２貫通孔内に強化リブが設けられて、強化リブの二端が第１平面と連接部品及び第２平面と連接部品に接続されて、連接部品を支持し、これにより全体の包装箱の強度が高められている。
【考案を実施するための最良の形態】
【０００８】
図５、６に示されるように、本考案の商品包装箱は、箱体１０を具え、該箱体１０の内部に商品Ｓが収容され、箱体１０は少なくとも一つの第１平面１１と少なくとも一つの第２平面１２を具え、第１平面１１と第２平面１２にそれぞれ第１貫通孔１３と第２貫通孔１４が設けられ、第１貫通孔１３と第２貫通孔１４の接続部分に連接部品１５が設けられ、該連接部品１５は横部１５１と縦部１５２を具え、横部１５１は第１平面１１に位置し、縦部１５２は第２平面１２に位置し、横部１５１の左右端辺は第１貫通孔１３の端縁に接続され、縦部１５２の左右端辺は第２貫通孔１４の端縁に接続されている。
【０００９】
該連接部品１５には三種類に形式があり、図５、６に示される連接部品１５は第１種の形式とされる。第２種の形式の連接部品１５は図７に示されるように、横部１５１のみが第１平面１１に設置され、横部１５１の左右端辺が第１貫通孔１３の端縁に接続され、横部１５１の前後端辺がそれぞれ第２貫通孔１４及び第１貫通孔１３の端縁に位置する。第３種の形式の連接部品１５は図８に示されるように、僅かに縦部１５２が第２平面１２に設置され、縦部１５２の左右端辺が第２貫通孔１４の端縁に接続され、縦部１５２の前後端辺がそれぞれ第２貫通孔１４の端縁及び第１貫通孔１３の端縁に位置している。
【００１０】
第１平面１１と第２平面１２に被覆層２０が結合され（図９）、被覆層２０は透明材料で形成されている。箱体１０内部に収容された商品Ｓは第１貫通孔１３、第２貫通孔１４及び透明な被覆層２０を通して対外展示され、消費者が商品を見て購入するのに供される（図５、６）。
【００１１】
図１０、１１に示されるように、箱体１０の複数の平面（図１０、１１は三つの平面で表示される）はいずれも貫通孔を具え、箱体１０内部が多方面から見えるものとされ、商品Ｓが多方向に展示され、商品の展示効果が良好である。
【００１２】
前述の第１貫通孔１３と第２貫通孔１４内には少なくとも一つの強化リブ１８（図７、８、１２）が設けられ、強化リブ１８の二端は第１平面１１と連接部品１５、第２平面１２と連接部品１５に接続されて、連接部品１５を支持し、箱体１０の全体強度を強化している。
【００１３】
本考案は以上の構造で構成され、周知のものと比較して以下のような進歩性を有している。
１．箱体１０と被覆層２０が回収再使用可能な紙製品とプラスチック製品とされ、消費者が商品Ｓを購入した後、箱体１０と被覆層２０を回収再利用でき、環境保護効果と資源節約の効果を有する。
２．箱体１０の第１平面１１と第２平面１２に直接被覆層２０が結合され、被覆層２０を別に型で生産製造する必要がなく、製造コストが低い。
３．第１平面１１と第２平面１２が透明な被覆層２０で被覆され、完全に灰塵が第１貫通孔１３と第２貫通孔１４より箱体１０内に進入し商品Ｓに付着するのを防止でき、有効に包装箱内部の商品Ｓのきれいな外観を保持できる。
４．連接部品１５が箱体１０に一体に形成され、連接部品１５を利用して被覆層２０が第１平面１１と第２平面１２を被覆するようにしっかりと結合され、製造プロセスが簡易で快速であり且つ労働力を節約できる。
５．消費者が被覆層２０と複数の異なる平面の異なる貫通孔を通して包装箱内の商品Ｓを観ることができ、多方面から商品を観ることができ、消費者の注意を引くことができ、消費者の購入意欲をかき立てる。
【００１４】
以上は本考案の好ましい実施例の説明であって本考案の実施範囲を限定するものではなく、以上の説明及び図面の記載に基づきなしうる細部の修飾或いは改変は、いずれも本考案の請求範囲に属するものとする。
【図面の簡単な説明】
【００１５】
【図１】周知の第１種の形式の商品包装箱の外観図である。
【図２】周知の第２種の形式の商品包装箱の外観図である。
【図３】周知の第３種の形式の商品包装箱の外観図である。
【図４】周知の第３種の形式の商品包装箱の組合せ断面図（商品は表示せず）である。
【図５】本考案の立体分解図であり、第１種の形式の連接部品を表示している。
【図６】本考案の組合せ立体図である。
【図７】本考案の第２種の形式の連接部品を具えた箱体の立体図である。
【図８】本考案の第３種の形式の連接部品を具えた箱体の立体図である。
【図９】本考案の組合せ断面図である。
【図１０】本考案の多方向の展示効果を示す組合せ断面図である。
【図１１】本考案の多方向の展示効果を示す立体分解図である。
【図１２】本考案の強化リブが設けられた箱体の立体図である。
【符号の説明】
【００１６】
１００、３００  箱体
１０１  開溝
２００  底座
２０１  カバー
３０１  貫通孔
３０２  透明樹脂膜
Ｓ  商品
１０  箱体
１１  第１平面
１２  第２平面
１３  第１貫通孔
１４  第２貫通孔
１５  連接部品
１５１  横部
１５２  縦部
１８  強化リブ
２０  被覆層
【図１】
0003111019.tif 000003
【図２】
0003111019.tif 000004
【図３】
0003111019.tif 000005
【図４】
0003111019.tif 000006
【図５】
0003111019.tif 000007
【図６】
0003111019.tif 000008
【図７】
0003111019.tif 000009
【図８】
0003111019.tif 000010
【図９】
0003111019.tif 000011
【図１０】
0003111019.tif 000012
【図１１】
0003111019.tif 000013
【図１２】
0003111019.tif 000014